(57)【要約】      （修正有）【課題】インプラントの植立において、義歯装置の構造が全体的に補強され、医療器具の浪費を効果的に減少させると同時に、患者の医療費用を減少させる義歯装置及び義歯ガイド装置セットを提供する。【解決手段】義歯装置は、サポートガイド部材３、及びサポートガイド部材に設置される義歯体７を備える。サポートガイド部材は、ボディ３１と、ボディに形成される組付部３２と、ガイド部３３と、サポート部３５と、を含む。義歯体は、収容空間ＳＰ、収容空間と連通する設置口、及び収容空間に設置される充填体を有し、設置口がサポートガイド部材を覆い、充填体がサポート部、ボディ、及びガイド部を包覆することで、サポートガイド部材に固定される。義歯体には、歯茎部７３と歯部７４が形成され、歯茎部は組付部に対応した欠け口７５を有し、組付部は欠け口を通過して、収容空間から穿り出される。【選択図】図１
0003229826.tif 000002
【実用新案登録請求の範囲】
【請求項１】
舌側、及び前記舌側と反対側にある唇側が定義される義歯装置であって、
前記義歯装置は、サポートガイド部材、及び義歯体を備え、
前記サポートガイド部材は、
ボディと、
前記唇側に位置するように前記ボディに形成されると共に、組付端部を有する組付部と、
前記舌側に位置するように前記ボディに形成されるガイド部と、
前記組付端部の反対側に位置するように前記ボディに形成されるサポート部と、
を含み、
前記義歯体は中空状を呈し、前記義歯体は、収容空間と、前記収容空間と連通する設置口と、前記収容空間に設置される充填体とを有し、
前記設置口が前記サポートガイド部材を覆い、前記充填体が少なくとも前記サポート部、前記ボディ、及び前記ガイド部を包覆することによって、前記義歯体は前記サポートガイド部材と互いに固定され、
前記義歯体には、高さ方向に沿って、歯茎部、及び歯部が形成され、前記歯茎部は、前記組付部に対応した欠け口を有し、それによって、前記組付部は、前記欠け口を通過して、前記収容空間から穿り出される、ことを特徴とする義歯装置。
【請求項２】
前記サポートガイド部材は、前記ガイド部の外縁と前記ボディとの間に強化セグメントが形成されており、前記強化セグメントは前記舌側に位置すると共に前記収容空間に位置し、前記充填体によって包覆される、請求項１に記載の義歯装置。
【請求項３】
前記サポートガイド部材はガイドユニットを有し、前記ガイドユニットは前記ガイド部の位置と対応するように前記ボディに形成され、前記ガイドユニットと前記ガイド部とは、前記高さ方向に沿って間隔を空けて配置され、前記ガイドユニットは前記ボディに接続されたカッティングセグメントを有する、請求項１に記載の義歯装置。
【請求項４】
前記組付部は、その組付端部と前記ボディとの間にカッティングセグメントが形成されており、前記カッティングセグメントは前記欠け口を通過して前記収容空間外に露出している、請求項１に記載の義歯装置。
【請求項５】
前記義歯装置は、固定部材、及び接合ユニットをさらに含み、前記固定部材は、埋入端部、及び前記埋入端部とは反対端である固定端部を有し、前記埋入端部は植立孔に固定され、前記接合ユニットは、前記固定端部に着脱自在に設置され、前記接合ユニットは、前記充填体に包覆され、前記収容空間に位置する、請求項１に記載の義歯装置。
【請求項６】
前記義歯装置は、組合せ基台をさらに含み、前記組合せ基台は、設置部、及びピンに対応したピン孔を有し、前記設置部と、前記サポートガイド部材の前記組付端部とは互いに接続される、請求項１に記載の義歯装置。
【請求項７】
前記組付端部及び前記設置部は、それぞれ、組付孔を有し、組付部材は、前記組付端部及び前記設置部における前記組付孔をそれぞれ通過し、組み付け固定され、それによって前記サポートガイド部材が前記組合せ基台に固定される、請求項６に記載の義歯装置。
【請求項８】
請求項１に記載する義歯装置に使用され、舌側、及び前記舌側と反対側にある唇側が定義される義歯ガイド装置セットであって、
前記義歯ガイド装置セットは、組合せ基台、位置校正部材、サポートガイド部材、穿孔器、固定部材、接合ユニット、義歯体、及びカッティング装置を備え、
前記位置校正部材は、前記組合せ基台を歯槽骨の所定位置に設置されるように校正し、義歯所定位置が定義され、
前記サポートガイド部材は、前記組合せ基台に設置され、
ボディと、
前記ボディに形成され、前記組合せ基台に組み付けられる組付端部、及び前記組付端部と前記ボディとの間に接続された第１のカッティングセグメントを有する組付部と、
前記ボディに形成され、前記舌側に位置するガイド部と、
前記ボディに形成され、前記ガイド部の位置に対応するガイドユニットと、
前記ボディに形成され、前記組付端部の反対側に位置するサポート部と、を含み、
前記ガイドユニットと前記ガイド部とは、高さ方向に沿って間隔を空けて配置され、前記ガイドユニットは前記ボディに接続される第２のカッティングセグメントを含み、
前記穿孔器は、前記ガイドユニットによってガイドされ、選択的に前記歯槽骨に埋入孔を形成し、
前記固定部材は、前記埋入孔に固定される埋入端部、及び前記埋入端部とは反対端である固定端部を有し、
前記接合ユニットは、着脱自在に前記固定端部に設置され、
前記義歯体は、中空状を呈し、収容空間、及び前記収容空間と連通する設置口を有し、前記義歯体は、前記収容空間に設置される充填体を有し、前記義歯体は、前記設置口によって前記サポートガイド部材を覆い、前記充填体が少なくとも前記サポート部、前記ガイド部、前記ボディ、及び前記接合ユニットを包覆することによって、前記義歯体は前記義歯所定位置に固定され、前記義歯体には、高さ方向に沿って歯茎部、及び歯部が形成され、前記歯茎部は、前記組付部に対応した欠け口を有し、それによって、前記組付部は、前記欠け口を通過して、前記収容空間から穿り出され、
前記カッティング装置は、前記第１のカッティングセグメント、及び前記第２のカッティングセグメントを切除し、それによって、前記組付部、及び前記ガイドユニットを取り外す、ことを特徴とする義歯ガイド装置セット。
【請求項９】
前記サポートガイド部材は、前記ガイド部の外縁と前記ボディとの間に強化セグメントが形成されており、前記強化セグメントは、前記舌側に位置すると共に前記収容空間に位置し、前記充填体によって包覆される、請求項８に記載の義歯ガイド装置セット。
【請求項１０】
前記組合せ基台は設置部を有し、前記設置部と、前記サポートガイド部材の前記組付端部とは互いに組み付けられ、前記組付端部及び前記設置部は、それぞれ、組付孔を有し、組付部材は、前記組付端部及び前記設置部における前記組付孔をそれぞれ通過し、組み付け固定され、それによって前記サポートガイド部材が前記組合せ基台に固定される、請求項８に記載の義歯ガイド装置セット。
【考案の詳細な説明】
【技術分野】
【０００１】
本考案は義歯装置に関し、特にガイド機能を有する義歯装置に関する。
【背景技術】
【０００２】
ガイドタイプのインプラント技術では、医師は患者の口腔内に固定基台を設置し、次いで前記固定基台にガイドプレートを固定し、前記ガイドプレートにおけるガイド部のガイドによって穿孔及びインプラントの埋入などの動作を行い、最後に前記ガイドプレート及び前記固定座を撤去し、既有の義歯装置を口腔内に設置し、インプラントに装着固定する。
【０００３】
しかし、上記ガイドプレートは患者の口腔によってカスタマイズして作製されるが、インプラント植立の過程において、前記ガイドプレートの機能はガイドのみであり、また、インプラント植立の完了後、前記ガイドプレートは二度と使用されず（すなわち、消耗品となる）、医療器具の浪費となる。
【０００４】
また、既有の義歯装置は構造を補強するために、前記義歯装置に金属のサポーターを設置するが、このような金属のサポーターを有する義歯装置は、患者が別途注文（または購入）する必要があるため、患者の医療費の増加を招く。
【０００５】
このことから、本発明者は上述した欠陥が改善可能なものであると考え、鋭意に研究し学理をも運用し、最終的に設計が合理的で且つ上述した問題を効果的に改善する本発明を提出した。
【考案の概要】
【考案が解決しようとする課題】
【０００６】
本考案が解決しようとする技術的問題は、従来技術の不足に対し、義歯装置及び義歯ガイド装置セットを提供し、それによって、既有の義歯装置が有しうる欠陥を効果的に改善する。
【課題を解決するための手段】
【０００７】
本考案の実施形態は義歯装置を開示する。前記義歯装置は、舌側、及び前記舌側と反対側にある唇側が定義される。前記義歯装置は、サポートガイド部材及び義歯体を備える。前記サポートガイド部材は、ボディと、前記唇側に位置するように前記ボディに形成され、組付端部を有する組付部と、前記舌側に位置するように前記ボディに形成されるガイド部と、前記組付端部の反対側に位置するように前記ボディに形成されるサポート部と、を含む。前記義歯体は、中空状を呈し、収容空間、及び前記収容空間と連通する設置口を有する。前記義歯体は、前記収容空間に設置される充填体を有する。前記義歯体は、前記設置口が前記サポートガイド部材を覆い、前記充填体が少なくとも前記サポート部、前記ボディ、及び前記ガイド部を包覆することによって、前記サポートガイド部材と固定される。なかでも、前記義歯体には、高さ方向に沿って、歯茎部、及び歯部が形成され、前記歯茎部は、前記組付部に対応した欠け口を有し、それによって、前記組付部は、前記欠け口を通過して、前記収容空間から穿り出される。
【０００８】
本考案の実施形態は、義歯ガイド装置セットをさらに開示する。前記義歯ガイド装置セットには、舌側、及び前記舌側と反対側にある唇側が定義される。前記義歯ガイド装置セットは、組合せ基台、位置校正部材、サポートガイド部材、穿孔器、固定部材、接合ユニット、義歯体、及びカッティング装置を備える。前記位置校正部材は、前記組合せ基台を歯槽骨の所定位置に設置させるように校正すると共に、前記位置校正部材に義歯所定位置が定義される。前記サポートガイド部材は、前記組合せ基台に設置され、ボディと、前記組合せ基台に組み付けられる組付端部、及び前記組付端部と前記ボディとの間に接続された第１のカッティングセグメントを有すると共に、前記ボディに形成される組付部と、前記舌側に位置するように前記ボディに形成されるガイド部と、前記ガイド部の位置に対応するように前記ボディに形成されるガイドユニットと、前記組付端部の反対側に位置するように前記ボディに形成されるサポート部と、を含む。前記ガイドユニットと前記ガイド部とは、高さ方向に沿って間隔を空けて配置される。前記ガイドユニットは前記ボディに接続される第２のカッティングセグメントを含む。前記穿孔器は、前記ガイドユニットによるガイドに従って、選択的に前記歯槽骨に埋入孔を形成する。前記固定部材は、前記埋入孔に固定される埋入端部、及び前記埋入端部とは反対端である固定端部を有する。前記接合ユニットは、着脱自在に前記固定端部に設置される。前記義歯体は、中空状を呈し、収容空間、及び前記収容空間と連通する設置口を有し、前記義歯体は、前記収容空間に設置される充填体を有する。前記義歯体は、前記設置口が前記サポートガイド部材を覆い、前記充填体が少なくとも前記サポート部、前記ガイド部、前記ボディ、及び前記接合ユニットを包覆することによって、前記義歯所定位置に固定される。前記義歯体には、高さ方向に沿って歯茎部、及び歯部が形成され、前記歯茎部は、前記組付部に対応した欠け口を有し、それによって、前記組付部は、前記欠け口を通過して、前記収容空間から穿り出される。前記カッティング装置は、前記第１のカッティングセグメント、及び前記第２のカッティングセグメントを切除し、それによって、前記組付部、及び前記ガイドユニットを取り外す。
【考案の効果】
【０００９】
前記をまとめて、本考案の実施形態が開示する義歯装置及び義歯ガイド装置セットによれば、インプラントの植立において、医師は、上記サポートガイド部材のガイドにより、穿孔や前記固定部材の埋入動作を行うことができ、尚且つ上記義歯体はその充填体により前記サポートガイド部材が包覆されることによって、前記サポートガイド部材により義歯装置（すなわち、前記義歯体及び一部の前記サポートガイド部材からなる装置）の構造が全体的に補強され、それによって、医療器具の浪費を効果的に減少させると同時に、患者の医療費用を減少させる。
【図面の簡単な説明】
【００１０】
【図１】本考案の義歯ガイド装置セットを示す斜視分解模式図である。
【図２】本考案の義歯ガイド装置セットを示す使用状態模式図であり、組合せ基台及び位置校正部材が歯槽骨に設置される状態を示す。
【図３】本考案の義歯ガイド装置セットを示す使用状態模式図であり、位置校正部材が組合せ基台から分離した状態を示す。
【図４】本考案の義歯ガイド装置セットを示す使用状態模式図であり、サポートガイド部材が組合せ基台に組み合わせられる状態を示す。
【図５】本考案の義歯ガイド装置セットを示す使用状態模式図であり、穿孔器がガイド管のガイドにより、歯槽骨に植立孔を形成する状態を示す。
【図６】本考案の義歯ガイド装置セットを示す使用状態模式図であり、固定部材を埋入し、カッティング装置により第２のカッティングセグメントを切除する状態を示す。
【図７】本考案の義歯ガイド装置セットを示す使用状態模式図であり、義歯体が、組合せ基台に組み合わせられたサポートガイド部材に組み付けられる状態を示す。
【図８】本考案の義歯ガイド装置セットを示す使用状態模式図であり、カッティング装置が第１のカッティングセグメントを切除し、サポートガイド部材と組合せ基台との固定を解除する状態を示す。
【図９】本考案の義歯ガイド装置セットを示す使用状態模式図であり、義歯装置（すなわち、義歯体及び一部のサポートガイド部材からなる装置）が歯槽骨から分離した状態を示す。
【図１０】本考案の義歯ガイド装置セットを示す使用状態模式図であり、組合せ基台を歯槽骨から取り外し、接合ユニットにより義歯装置を歯槽骨に設置した状態を示す。
【図１１】本考案の義歯ガイド装置セットを示す使用状態模式図であり、骨切削校正部材が組合せ基台に組み付けられる状態を示す。
【考案を実施するための形態】
【００１１】
本考案の特徴及び技術内容をより一層理解できるように、本考案に係る詳細な説明と図面を参照するが、提供する図面は、参照と説明のためのものに過ぎず、本考案を制限するためのものではない。
【００１２】
以下、特定の具体的な実施形態によって本考案が開示する「義歯装置１００及び義歯ガイド装置セット」に係る実施形態を説明し、当業者は、本明細書に開示される内容に基づいて本考案の利点と効果を理解することができる。本考案は、他の異なる具体的な実施形態によって実行又は応用でき、本明細書における各細部についても、異なる観点と用途に基づいて、本考案の構想から逸脱しない限り、各種の修正と変更を行うことができる。また、事前に説明するように、本考案の添付図面は、簡単な模式的説明であり、実際の寸法に基づいて描かれたものではない。以下の実施形態に基づいて本考案に係る技術内容を更に詳細に説明するが、開示される内容は本考案の保護範囲を制限するためのものではない。
【００１３】
また、本文に使用される「または」という用語は、実際の状況に応じて、関連して挙げられる項目におけるいずれか１つ又は複数の組み合わせを含む可能性がある。
【００１４】
図１〜図１１は、本考案の一実施形態である。図１〜図１１に示すように、本実施形態は義歯ガイド装置セットを開示し、該義歯ガイド装置セットは医療器材の浪費、及び患者の医療費用を効果的に減少させると同時に、義歯装置１００の構造を大幅に補強する。
【００１５】
前記義歯ガイド装置セットは、組合せ基台１と、前記組合せ基台１の位置を校正する位置校正部材２と、前記組合せ基台１に設置されるサポートガイド部材３と、前記サポートガイド部材３によってガイドされる穿孔器４と、前記穿孔器４の穿孔により植え付けられる固定部材５と、前記固定部材５に設置される接合ユニット６と、前記サポートガイド部材３及び前記接合ユニット６に組み付けられる義歯体７と、前記サポートガイド部材３を切るカッティング装置８と、を含む。
【００１６】
説明しておきたいことは、上記組合せ基台１、位置校正部材２、サポートガイド部材３、穿孔器４、固定部材５、接合ユニット６、義歯体７、及びカッティング装置８は、本実施形態において、共に前記義歯ガイド装置セットと定義されているが、本考案はこれに制限されないことである。例えば、本考案に図示されていない他の実施形態において、一部の前記サポートガイド部材３及び前記義歯体７は共に義歯装置１００と定義されてもよく、前記義歯装置１００は個別に運用（例えば、販売）されてもよく、他の部品とともに使用されてもよい。
【００１７】
また、前記義歯ガイド装置セットの前記義歯体７は、本実施形態において、一部の前記サポートガイド部材３を内部のサポート構造とし（すなわち、前記義歯体７に包覆される）、それによって前記義歯装置１００の構造を全体的に補強する。すなわち、一部の前記サポートガイド部材３をサポート構造としていない如何なる義歯装置も、本実施形態に係る義歯装置１００と対比し難い。以下に前記義歯ガイド装置セットにおける各素子の構造をそれぞれ紹介し、前記義歯ガイド装置セットにおける各素子間の結合関係を適切に説明し、なかでも、前記義歯ガイド装置セットは前記義歯装置１００の各素子の構造を含むため、前記義歯装置１００の素子構造はここで省略する。
【００１８】
図１〜図３に示すように、前記義歯ガイド装置セットは、舌側Ａ、及び前記舌側Ａと反対側にある唇側Ｂが定義され、具体的に言えば、前記義歯ガイド装置セットにおける前記組合せ基台１、前記サポートガイド部材３、及び前記義歯体７は、人体口腔の歯茎に設置される。そのように、前記義歯ガイド装置セットは、外側に前記唇側Ｂ（すなわち、口腔に設置された場合、唇寄りの側）が定義され、内側に前記舌側Ａ（すなわち、口腔に設置された場合、舌寄りの側）が定義される。
【００１９】
前記位置校正部材２は、前記組合せ基台１を歯槽骨Ｋの所定位置Ｐに位置させるように校正するために用いられる。前記位置校正部材２に、義歯所定位置Ｔが定義される（図２及び図３に示すように）。なかでも、前記位置校正部材２は、本実施形態において、齒牙模型でありうり、前記齒牙模型は口腔内の相対的な他の歯との咬み合わせのための位置を補正し、それによって前記所定位置Ｐ及び前記義歯所定位置Ｔを確定するように用いられるが、本発明はこの例に制限されない。
【００２０】
具体的に言えば、前記所定位置Ｐは前記歯槽骨Ｋの外側にあり、前記義歯所定位置Ｔは前記歯槽骨Ｋの別の歯槽骨に向けた側に位置する。例えば、人体口腔内の上顎及び下顎は、それぞれ、歯槽骨を有し、前記所定位置Ｐは前記下顎の歯槽骨にある場合、前記義歯所定位置Ｔは前記下顎の歯槽骨の上方に位置し、逆に、前記所定位置Ｐは前記上顎の歯槽骨にある場合、前記義歯所定位置Ｔは前記上顎の歯槽骨Ｋの下方に位置する。説明の便宜上、本実施形態は前記下顎の歯槽骨に設置される場合を例として説明する。
【００２１】
図３に示すように、前記組合せ基台１は、前記位置校正部材２によって前記所定位置Ｐに設置され、前記組合せ基台１は、設置部１１、及びピンＺに対応するピン孔１２を有し、前記組合せ基台１は、前記ピンＺが前記ピン孔１２に貫通して設置されることによって、前記所定位置Ｐ（すなわち、前記歯槽骨Ｋ）に固定される。
【００２２】
詳しく言えば、前記組合せ基台１は、本実施形態において長円弧状を呈し、前記設置部１１は二つの窪み１１１及び二つの凸出延伸部材１１２からなり、また、二つの窪み１１１及び二つの凸出延伸部材１１２には、それぞれ、前記サポートガイド部材３と組み付けられるための組付孔１１３が穿設されるが、本発明はこの例に制限されない。
【００２３】
図４に示すように、前記サポートガイド部材３は、前記組合せ基台１に設置され、前記サポートガイド部材３は、ボディ３１と、前記ボディ３１に設置される組付部３２と、ガイド部３３と、ガイドユニット３４と、サポート部３５と、前記ボディ３１及び前記ガイド部３３の間に設置される強化セグメント３６と、を含む。なかでも、前記サポートガイド部材３は、本実施形態において、チタンまたはコバルトクロム合金によって作製されてもよいが、本実施形態の記載に制限されない。前記ボディ３１は、ロッド状を呈し、前記組合せ基台１の形状に対応する。
【００２４】
前記組付部３２は前記ボディ３１に形成され、前記組付部３２は、組合せ基台１と組み付けられるための組付端部３２１、及び前記組付端部３２１と前記ボディ３１との間に接続される第１のカッティングセグメント３２２を有し、前記組付端部３２１は、前記設置部１１における前記組付孔１１３に対応する組付孔３２３を有し、組付部材（未図示）がそれぞれ、前記組付端部３２１を通過し、前記設置部１１の前記組付孔１１３に組み付け固定され、それによって前記サポートガイド部材３は前記組合せ基台１に固定される。
【００２５】
具体的に言えば、前記サポートガイド部材３における前記組付部３２は、本実施形態において、二つの水平型組付部材３２Ａ、及び二つの縱方向型組付部材３２Ｂからなるが、本実施形態の記載に制限されない。詳しく言えば、二つの前記水平型組付部材３２Ａは、それぞれ、前記舌側Ａから前記唇側Ｂに延伸する第１のカッティングセグメント３２２を有し、また、前記第１のカッティングセグメント３２２は末端に組付端部３２１が形成される。二つの前記縱方向型組付部材３２Ｂは、それぞれ、前記所定位置Ｐ（または前記組合せ基台１）へ延伸し、逆さまのＬ形状を呈する第１のカッティングセグメント３２２を有し、また、前記第１のカッティングセグメント３２２は末端に組付端部３２１を有するが、本発明はこの例に制限されない。
【００２６】
前記ガイド部３３は前記ボディ３１に形成され、前記舌側Ａに位置する。具体的に言えば、前記ガイド部３３は、本実施形態において、二つのリング部材３３Ａ及び複数のカーブ部材３３Ｂからなり、また、二つの前記リング部材３３Ａ及び複数の前記カーブ部材３３Ｂは前記唇側Ｂから前記舌側Ａへ配置される（図７参照）。
【００２７】
前記強化セグメント３６は前記ガイド部３３の外縁及び前記ボディ３１に接続される。詳しく言えば、前記強化セグメント３６は、本実施形態において、複数の接続バーであり、また、複数の前記接続バーは、それぞれ、前記ボディ３１と、二つの前記リング部材３３Ａと、複数の前記カーブ部材３３Ｂとの間に接続され、それによって、前記サポートガイド部材３の構造を全体的に補強するが、本発明はこの例に制限されない。
【００２８】
再度図４を参照されたい。図４に示すように、前記ガイドユニット３４は前記ボディ３１に形成され、前記ガイド部３３の位置に対応し、また、前記ガイドユニット３４と前記ガイド部３３とは、高さ方向Ｄに沿って間隔を空けて配置される。なかでも、前記ガイドユニット３４は、前記ボディ３１に接続される第２のカッティングセグメント３４１を含む。さらに言えば、前記ガイドユニット３４は、本実施形態において、接続セグメント３４２と、前記接続セグメント３４２に設置される複数のガイド管３４３と、前記接続セグメント３４２に設置される複数の第２のカッティングセグメント３４１と、からなり、それぞれの前記ガイド管３４３は、二つの前記リング部材３３Ａ及び複数の前記カーブ部材３３Ｂの位置に対応し、前記高さ方向Ｄに沿って間隔を空けて配置される。すなわち、複数の前記ガイド管３４３の数量は、二つの前記リング部材３３Ａ及び複数の前記カーブ部材３３Ｂの総数量と等しく、また、複数の前記ガイド管３４３は管状を呈するとともに、ガイドルートを有し、それによってインプラント植立の穿孔及びインプラント埋入などの動作をガイドする。
【００２９】
前記サポート部３５は前記ボディ３１に形成され、組付端部３２１の反対側に位置する。視点を変えて言えば、前記サポート部３５は、本実施形態において、複数のサポートバーからなり、複数の前記サポートバーは、前記所定位置Ｐから離れた方向へ延伸し、前記ボディ３１に均等に配置されるが、本実施形態の記載に制限されない。例えば、図示されていない他の実施形態において、前記サポート部３５は、前記ボディ３１に形成される長い凸リブでありうる。
【００３０】
図５に示すように、前記穿孔器４は前記ガイドユニット３４のガイドにより、選択的に前記歯槽骨Ｋに植立孔Ｈを形成する。さらに言えば、前記穿孔器４は、ドリル４１、及び前記ドリル４１に動力を与える動力ユニット４２を有し、前記穿孔器４における前記ドリル４１は複数の前記ガイド管３４３を通過し、二つの前記リング部材３３Ａ及び複数の前記カーブ部材３３Ｂに対応する前記歯槽骨Ｋに穿孔でき、それによって前記植立孔Ｈを形成する。すなわち、前記穿孔器４が前記歯槽骨Ｋに形成する植立孔の数量は、複数の前記ガイド管３４３の数量と等しい。
【００３１】
図６に示すように、前記固定部材５は埋入端部５１及び前記埋入端部５１とは反対端である固定端部５２を有し、前記埋入端部５１は、前記植立孔Ｈに固定され、前記接合ユニット６は、前記固定端部５２に着脱自在に設置される。詳しく言えば、前記義歯ガイド装置セットの前記固定部材５の数量は複数の前記ガイド管３４３の数量と等しい。
【００３２】
図７に示すように、前記義歯体７は中空状を呈し、収容空間ＳＰ、及び前記収容空間ＳＰと連通する設置口７１を有し、すなわち、前記義歯体７は、シェル状構造であり、また、前記義歯体７は、前記収容空間ＳＰ内に設置される充填体７２を有する（図８に示すように）。前記設置口７１が前記サポートガイド部材３を覆い、前記充填体７２が、少なくとも前記サポート部３５、前記ガイド部３３、前記ボディ３１、及び前記接合ユニット６を包覆することによって、前記義歯体７は前記義歯所定位置Ｔに固定される。なかでも、前記充填体７２は、本実施形態において、レジンでありうるが、本発明はこの例に制限されない。
【００３３】
さらに、前記義歯体７は、前記高さ方向Ｄに沿って歯茎部７３、及び歯部７４が形成され、それによって、前記歯茎部７３及び前記歯部７４によって、口腔中の齒牙及び歯茎を代替する。前記歯茎部７３は、前記組付部３２に対応した欠け口７５を有し、それによって、前記組付部３２が前記欠け口７５を通過し前記収容空間ＳＰから穿り出され（図８に示すように）、すなわち、前記義歯体７の欠け口７５の数量は前記組付部３２（二つの前記水平型組付部材３２Ａ、及び二つの前記縱方向型組付部材３２Ｂ）の数量に対応する。
【００３４】
図８及び図９に示すように、前記カッティング装置８は前記第１のカッティングセグメント３２２及び前記第２のカッティングセグメント３４１を切除し、それによって前記組付部３２及び前記ガイドユニット３４を取り外す。具体的に言えば、前記カッティング装置８は、カッティング部材８１、及び前記カッティング部材８１に動力を与える動力ユニット８２を有し、前記カッティング装置８は、そのカッティング部材８１により、前記組付部３２の前記第１のカッティングセグメント３２２、及び前記ガイドユニット３４の前記第２のカッティングセグメント３４１を切除し、それによって、前記ガイドユニット３４及び前記組付部３２を前記ボディ３１から分離させる。
【００３５】
以上に前記義歯ガイド装置セットの各素子構造を説明したが、本考案の義歯装置１００及び義歯ガイド装置セットを当業者がもっと明確に理解できるように、以下に義歯ガイド装置セットの実際の操作手順を説明する。
【００３６】
前記義歯ガイド装置セットの操作手順は、ステップＳ１１０〜Ｓ１７０を含み、図２〜図１１を合わせて参照されたい。当然、上記複数のステップにおけるいずれのステップもニーズによって省略するまたは合理的に変化してもよい。複数の前記ステップＳ１１０〜Ｓ１７０は以下に詳述する。
【００３７】
ステップＳ１１０：図２及び図３を参照されたい。図２及び図３に示すように、前記組合せ基台１と前記位置校正部材２とを互いに組み立て、前記組合せ基台１及び前記位置校正部材２を口腔内の歯槽骨Ｋに設置し、前記位置校正部材２は前記歯槽骨Ｋの反対側の齒牙に合わせ、それによって前記組合せ基台１の位置が前記所定位置Ｐに校正されたか否かを確認する。そして、複数の前記ピンＺを複数の前記ピン孔１２に通過させ、前記組合せ基台１を前記歯槽骨Ｋに位置させ、前記位置校正部材２を前記組合せ基台１から分離させる。説明しておきたいことは、前記位置校正部材２は前記組合せ基台１が前記所定位置Ｐに位置することを確認する時、前記位置校正部材２の位置は前記義歯所定位置Ｔと定義される。
【００３８】
ステップＳ１２０：図４を参照されたい。図４に示すように、前記歯槽骨Ｋに対し骨切削を行い、前記骨切削が完了した後、前記サポートガイド部材３と、その前記組付端部３２１によって、前記組合せ基台１の前記設置部１１とを互いに組み合わせ、それによって、前記サポートガイド部材３を前記組合せ基台１に固定する。特筆に値することは、図１１に示すように、前記骨切削を行う時、前記組合せ基台１に骨切削校正部材９を組み付けることができ、それによって医師が骨切削動作を実行する時、骨切削の深さまた骨切削面は希望の状態であるか否かを確認する。
【００３９】
ステップＳ１３０：図５を参照されたい。図５に示すように、前記穿孔器４は前記ガイドユニット３４のガイドにより、前記ガイド部３３を通過し、選択的に前記歯槽骨Ｋに植立孔Ｈを形成し、次いで、前記固定部材５をその埋入端部５１によって前記植立孔Ｈに設置し、前記固定端部５２には着脱自在に前記接合ユニット６が設置される。
【００４０】
ステップＳ１４０：図６を参照されたい。図６に示すように、前記カッティング装置８はそのカッティング部材８１により前記ガイドユニット３４における前記第２のカッティングセグメント３４１に対し第１の切除を行い、前記ガイドユニット３４を前記サポートガイド部材３における前記ボディ３１から分離させる。すなわち、前記サポートガイド部材３は、前記ガイドユニット３４以外の部材だけによっても、前記ボディ３１に接続される。
【００４１】
ステップＳ１５０：図７及び図８を参照されたい。図７及び図８に示すように、前記義歯体７は前記サポートガイド部材３を覆い、その充填体７２が記サポート部３５、前記ガイド部３３、前記ボディ３１、及び前記接合ユニット６を包覆することによって、前記義歯体７は前記義歯所定位置Ｔに固定される。次いで、前記収容空間ＳＰから露出した前記充填体７２を取り除き、なかでも、前記サポートガイド部材３が前記義歯体７に覆われた時、前記サポートガイド部材３における前記組付部３２は、前記義歯体７の前記欠け口７５を通過して、前記収容空間ＳＰ外に位置する。
【００４２】
ステップＳ１６０：図８を参照されたい。図８に示すように、前記カッティング装置８は、そのカッティング部材８１により、前記サポートガイド部材３における前記第１のカッティングセグメント３２２に対し第２の切除を行い、それによって、前記サポートガイド部材３と前記組合せ基台１との固定を解除し、そのように、前記義歯体７は、その収容空間ＳＰ内の前記ボディ３１、ガイド部３３、サポート部３５、前記接合ユニット６、及び前記充填体７２と共に前記義歯装置１００を構成し、次いで、前記義歯体７に固定される前記接合ユニット６を前記固定部材５から取り外し、それによって、前記義歯装置１００を前記義歯所定位置Ｔから分離させる。好ましくは、前記義歯体７の前記欠け口７５はレジン（前記充填体と同様の材質）で前記欠け口７５（すなわち、図１０に示す前記義歯装置１００）を補填してもよい。
【００４３】
ステップＳ１７０：図９及び図１０を参照されたい。図９及び図１０に示すように、前記組合せ基台１を前記歯槽骨Ｋから分離させ、前記義歯装置１００を前記義歯所定位置Ｔに設置し、前記接合ユニット６を前記歯槽骨Ｋにおける前記固定部材５に組み付け、それによって、前記義歯装置１００を固定する。
［本考案の実施形態による有利な效果］
【００４４】
前記をまとめて、本考案の実施形態が開示する義歯装置１００及び義歯ガイド装置セットによれば、インプラントの植立において、医師は、上記サポートガイド部材３のガイドにより、穿孔や前記固定部材の埋入動作を行うことができ、尚且つ上記義歯体７はその充填体７２により前記サポートガイド部材３が包覆されることによって、上記義歯体７は前記サポートガイド部材３により義歯装置１００（すなわち、前記義歯体７及び一部の前記サポートガイド部材３からなる装置）の構造が全体的に補強され、それによって、医療器具の浪費を効果的に減少させると同時に、患者の医療費用を減少させる。
【００４５】
以上に開示された内容は、好ましい本考案に係る実施形態を説明したが、この実施形態は例として提示したものであって、発明の範囲を限定することを意図していない。そのため、本考案の明細書及び図面でなされた均等的な技術的変形は、全て本考案の実用新案登録請求の範囲に含まれる。
【符号の説明】
【００４６】
１００：義歯装置
１：組合せ基台
１１：設置部
１１１：窪み
１１２：凸出延伸部材
１１３：組付孔
１２：ピン孔
２：位置校正部材
３：サポートガイド部材
３１：ボディ
３２：組付部
３２Ａ：水平型組付部材
３２Ｂ：縱方向型組付部材
３２１：組付端部
３２２：第１のカッティングセグメント
３２３：組付孔
３３：ガイド部
３３Ａ：リング部材
３３Ｂ：カーブ部材
３４：ガイドユニット
３４１：第２のカッティングセグメント
３４２接続セグメント
３４３ガイド管
３５：サポート部
３６：強化セグメント
４：穿孔器
４１：穿孔器
４２：動力ユニット
５：固定部材
５１：埋入端部
５２：固定端部
６：接合ユニット
７：義歯体
７１：設置口
７２：充填体
７３：歯茎部
７４：歯部
７５：欠け口
８：カッティング装置
８１：カッティング部材
８２：動力ユニット
９：骨切削校正部材
Ａ：舌側
Ｂ：唇側
Ｄ：高さ方向
Ｐ：所定位置
Ｔ：義歯所定位置
ＳＰ：収容空間
Ｋ：歯槽骨
Ｚ：ピン
Ｈ：植立孔
【図１】
0003229826.tif 000003
【図２】
0003229826.tif 000004
【図３】
0003229826.tif 000005
【図４】
0003229826.tif 000006
【図５】
0003229826.tif 000007
【図６】
0003229826.tif 000008
【図７】
0003229826.tif 000009
【図８】
0003229826.tif 000010
【図９】
0003229826.tif 000011
【図１０】
0003229826.tif 000012
【図１１】
0003229826.tif 000013